(57)【要約】【課題】煩雑な作業を必要とすることなく、フィールド機器に適合する情報処理のアルゴリズムを獲得できるフィールド機器管理装置およびフィールド機器管理方法を提供する。【解決手段】対応付け記憶手段１１は、フィールド機器２の機器種類と、当該機器種類に適合する情報処理のアルゴリズムとの対応付けを記憶する。機器種類取得手段１２は、フィールド機器２から当該フィールド機器２の機器種類を取得する。アルゴリズム選択手段１３は、機器種類取得手段１２により取得された機器種類に対応付けられたアルゴリズムを、対応付け記憶手段１１の対応付けに基づいて特定し、特定された当該アルゴリズムを当該フィールド機器２に使用されるアルゴリズムとして選択する。【選択図】図１
2007249312.tif 000002
【特許請求の範囲】
【請求項１】
個々のフィールド機器に適合する情報処理のアルゴリズムを与えるフィールド機器管理装置において、
フィールド機器の機器種類と、当該機器種類に適合する情報処理のアルゴリズムとの対応付けを記憶する対応付け記憶手段と、
前記フィールド機器から当該フィールド機器の機器種類を取得する機器種類取得手段と、
前記機器種類取得手段により取得された機器種類に対応付けられた前記アルゴリズムを、前記対応付け記憶手段の前記対応付けに基づいて特定し、特定された当該アルゴリズムを当該フィールド機器に使用されるアルゴリズムとして選択するアルゴリズム選択手段と、
を備えることを特徴とするフィールド機器管理装置。
【請求項２】
前記アルゴリズムはデバイス・タイプ・マネージャーを用いて規定されることを特徴とする請求項１に記載のフィールド機器管理装置。
【請求項３】
前記アルゴリズムを格納するアルゴリズム格納手段と、
前記アルゴリズム選択手段により選択されたアルゴリズムを前記アルゴリズム格納手段から取得し、取得された当該アルゴリズムを用いて当該フィールド機器に関する情報処理を実行する情報処理手段と、
を備えることを特徴とする請求項１または２に記載のフィールド機器管理装置。
【請求項４】
前記アルゴリズムを前記アルゴリズム格納手段に格納すると同時に、そのアルゴリズムに関する対応付けを前記対応付け記憶手段に記憶するインストール手段を備えることを特徴とする請求項１〜３のいずれか１項に記載のフィールド機器管理装置。
【請求項５】
個々のフィールド機器に適合する情報処理のアルゴリズムを与えるフィールド機器管理方法において、
フィールド機器の機器種類と、当該機器種類に適合する情報処理のアルゴリズムとの対応付けを記憶するステップと、
前記フィールド機器から当該フィールド機器の機器種類を取得するステップと、
前記機器種類を取得するステップにより取得された機器種類に対応付けられた前記アルゴリズムを、記憶された前記対応付けに基づいて特定し、特定された当該アルゴリズムを当該フィールド機器に使用されるアルゴリズムとして選択するステップと、
を備えることを特徴とするフィールド機器管理方法。
【請求項６】
前記アルゴリズムはデバイス・タイプ・マネージャーを用いて規定されることを特徴とする請求項５に記載のフィールド機器管理方法。
【請求項７】
前記アルゴリズムを格納するステップと、
前記アルゴリズムを選択するステップにより選択されたアルゴリズムを格納された前記アルゴリズムの中から取得し、取得された当該アルゴリズムを用いて当該フィールド機器に関する情報処理を実行するステップと、
を備えることを特徴とする請求項５または６に記載のフィールド機器管理方法。
【請求項８】
前記アルゴリズムを格納するステップと、そのアルゴリズムに関する対応付けを記憶するステップとを同時に実行することを特徴とする請求項５〜７のいずれか１項に記載のフィールド機器管理方法。
【発明の詳細な説明】
【技術分野】
【０００１】
本発明は、個々のフィールド機器に、適合する情報処理のアルゴリズムを与えるフィールド機器管理装置およびフィールド機器管理方法に関する。
【背景技術】
【０００２】
プラントに設置されたフィールド機器との間で通信を行い、フィールド機器が保有する情報の表示や、フィールド機器の各種パラメータの設定、フィールド機器のメンテナンス等の情報処理を行うフィールド機器管理装置が知られている。フィールド機器管理装置では、ＤＴＭ（Device Type Manager）と呼ばれるＧＵＩ（Graphical User Interface）コンポーネントを利用して、ユーザへのマンマシンインタフェースを提供している。ＤＴＭはフィールド機器の種類ごとに用意されており、フィールド機器に適合したＤＴＭが使用される。
【０００３】
図４は、従来のフィールド機器管理装置の構成を示すブロック図である。図４に示すように、従来のフィールド機器管理装置は、フィールド機器２に適合するＤＴＭを選択するＤＴＭ選択部５１と、フィールド機器２の管理に関する種々の情報処理を実行する情報処理部５２とを備える。
【０００４】
ユーザは、予めフィールド機器２と、ＤＴＭとの対応付けを定義するテーブル５４を作成する。テーブル５４には、プラントに設置された個々のフィールド機器２に適合するＤＭＴが定義されている。ＤＴＭ選択部５１は、通信ドライバ３を介して通信したいフィールド機器２に対応するＤＴＭを、テーブル５４に基づいて特定する。さらに、ＤＴＭ選択部５１は、格納されたＤＴＭ群５３から特定されたＤＴＭを読み込み、情報処理部５２に渡す。情報処理部５２は、渡されたＤＴＭを用いて当該フィールド機器２に関する情報処理を実行する。
【発明の開示】
【発明が解決しようとする課題】
【０００５】
しかし、従来のフィールド機器管理装置では、通信対象となるすべてのフィールド機器２について、ユーザが予めひとつひとつの機器ごとにＤＴＭとの対応付けをテーブル５４により定義する必要があり、定義のないフィールド機器２に関する情報処理は実行できない。このように、ＤＴＭの対応付けを機器ごとに行わなければならないため、フィールド機器２の数の増加に伴って作業が煩雑となり、作業コストが増大する。
【０００６】
本発明の目的は、煩雑な作業を必要とすることなく、フィールド機器に適合する情報処理のアルゴリズムを獲得できるフィールド機器管理装置およびフィールド機器管理方法を提供することにある。
【課題を解決するための手段】
【０００７】
本発明のフィールド機器管理装置は、個々のフィールド機器に適合する情報処理のアルゴリズムを与えるフィールド機器管理装置において、フィールド機器の機器種類と、当該機器種類に適合する情報処理のアルゴリズムとの対応付けを記憶する対応付け記憶手段と、前記フィールド機器から当該フィールド機器の機器種類を取得する機器種類取得手段と、前記機器種類取得手段により取得された機器種類に対応付けられた前記アルゴリズムを、前記対応付け記憶手段の前記対応付けに基づいて特定し、特定された当該アルゴリズムを当該フィールド機器に使用されるアルゴリズムとして選択するアルゴリズム選択手段と、を備えることを特徴とする。
このフィールド機器管理装置によれば、機器種類と、当該機器種類に適合する情報処理のアルゴリズムとの対応付けを用いて、必要なアルゴリズムを選択するので、煩雑な作業を必要とすることなく、フィールド機器に適合するアルゴリズムを獲得できる。
【０００８】
前記アルゴリズムはデバイス・タイプ・マネージャーを用いて規定されてもよい。
【０００９】
前記アルゴリズムを格納するアルゴリズム格納手段と、前記アルゴリズム選択手段により選択されたアルゴリズムを前記アルゴリズム格納手段から取得し、取得された当該アルゴリズムを用いて当該フィールド機器に関する情報処理を実行する情報処理手段と、を備えてもよい。
【００１０】
前記アルゴリズムを前記アルゴリズム格納手段に格納すると同時に、そのアルゴリズムに関する対応付けを前記対応付け記憶手段に記憶するインストール手段を備えてもよい。
【００１１】
本発明のフィールド機器管理方法は、個々のフィールド機器に適合する情報処理のアルゴリズムを与えるフィールド機器管理方法において、フィールド機器の機器種類と、当該機器種類に適合する情報処理のアルゴリズムとの対応付けを記憶するステップと、前記フィールド機器から当該フィールド機器の機器種類を取得するステップと、前記機器種類を取得するステップにより取得された機器種類に対応付けられた前記アルゴリズムを、記憶された前記対応付けに基づいて特定し、特定された当該アルゴリズムを当該フィールド機器に使用されるアルゴリズムとして選択するステップと、を備えることを特徴とする。
このフィールド機器管理方法によれば、機器種類と、当該機器種類に適合する情報処理のアルゴリズムとの対応付けを用いて、必要なアルゴリズムを選択するので、煩雑な作業を必要とすることなく、フィールド機器に適合するアルゴリズムを獲得できる。
【００１２】
前記アルゴリズムはデバイス・タイプ・マネージャーを用いて規定されてもよい。
【００１３】
前記アルゴリズムを格納するステップと、前記アルゴリズムを選択するステップにより選択されたアルゴリズムを格納された前記アルゴリズムの中から取得し、取得された当該アルゴリズムを用いて当該フィールド機器に関する情報処理を実行するステップと、を備えてもよい。
【００１４】
前記アルゴリズムを格納するステップと、そのアルゴリズムに関する対応付けを記憶するステップとを同時に実行してもよい。
【００１５】
特許文献１には、プラントに点在する多種多様なフィールド機器に対して、種類の異なる診断ソフトウェアを適用して診断する機器診断装置が記載されている。
【００１６】
【特許文献１】特開２００３−３１６４２４号公報
【発明の効果】
【００１７】
本発明のフィールド機器管理装置によれば、機器種類と、当該機器種類に適合する情報処理のアルゴリズムとの対応付けを用いて、必要なアルゴリズムを選択するので、煩雑な作業を必要とすることなく、フィールド機器に適合するアルゴリズムを獲得できる。
【００１８】
本発明のフィールド機器管理方法によれば、機器種類と、当該機器種類に適合する情報処理のアルゴリズムとの対応付けを用いて、必要なアルゴリズムを選択するので、煩雑な作業を必要とすることなく、フィールド機器に適合するアルゴリズムを獲得できる。
【発明を実施するための最良の形態】
【００１９】
以下、図１〜図３を参照して、本発明によるフィールド機器管理装置の一実施形態について説明する。
【００２０】
図１は、本実施形態のフィールド機器管理装置の構成を示すブロック図である。
【００２１】
図１に示すように、機器管理用端末装置１は、フィールド機器２の機器種類と当該機器種類に適合する情報処理のアルゴリズムとの対応付けを記憶する対応付け記憶手段１１と、フィールド機器２から当該フィールド機器２の機器種類を取得する機器種類取得手段１２と、機器種類取得手段１２により取得された機器種類に対応付けられたアルゴリズムを、対応付け記憶手段１１の対応付けに基づいて特定し、特定された当該アルゴリズムを当該フィールド機器２に使用されるアルゴリズムとして選択するアルゴリズム選択手段１３と、アルゴリズムを格納するアルゴリズム格納手段１４と、アルゴリズム選択手段１３により選択されたアルゴリズムをアルゴリズム格納手段１４から取得し、取得された当該アルゴリズムを用いて当該フィールド機器２に関する情報処理を実行する情報処理手段１５と、を備える。
【００２２】
図２（ａ）は、対応付け記憶手段１１に記憶されるテーブルの構成を示す図である。図２（ａ）に示すように、このテーブルには、フィールド機器２の機器種類と、その機器種類で用いるＤＴＭ（デバイス・タイプ・マネージャー；Device Type Manager）とが対応付けられている。本実施形態のフィールド機器管理装置では、ＧＵＩ（Graphical User Interface）コンポーネントであるＤＴＭを利用してユーザへのマンマシンインタフェースを提供している。したがって、個々のフィールド機器２に関する種々の処理を実行するにあたり、適合するＤＴＭを選択する必要がある。正しいＤＴＭを用いることにより、当該フィールド機器２に適合した正しいアルゴリズムを得ることができる。
【００２３】
図１に示すように、アルゴリズム格納手段１４には、それぞれフィールド機器２の機器種類に適合するアルゴリズムを示す複数のＤＴＭが格納されている。
【００２４】
図１に示すように、機器種類取得手段１２および情報処理手段１５は、通信ドライバ３を介してフィールド機器２と通信可能とされている。
【００２５】
図１に示すように、プラントに設置されたフィールド機器２は、複数の機器種類からなる。例えば、「フィールド機器ａ」、「フィールド機器ｂ」などは、同一機器種類の「モデルＡ」であり、「フィールド機器ｃ」、「フィールド機器ｄ」などは、同一機器種類の「モデルＢ」である。
【００２６】
図３のステップＳ１〜ステップＳ４は、本実施形態のフィールド機器管理装置において、ＤＴＭを特定し、所定の情報処理を実行する際の動作手順を示すフローチャートである。
【００２７】
図３のステップＳ１では、機器種類取得手段１２において、通信ドライバ３を介して所定のフィールド機器２との間で通信を実行し、フィールド機器２が保有する自らの機器種類を取得する。例えば、フィールド機器２が「フィールド機器ａ」であった場合、図１に示すように、その機器種類は「モデルＡ」である。この場合、上記ステップＳ１では、フィールド機器２から、機器種類として「モデルＡ」を取得する。取得された機器種類はアルゴリズム選択手段１３に渡される。
【００２８】
次に、ステップＳ２では、アルゴリズム選択手段１３は、ステップＳ１で取得された機器種類をキーとして、対応付け記憶手段１１のテーブル（図２（ａ））を検索し、当該機器種類に対応付けられたＤＴＭを特定する。例えば、機器種類が「モデルＡ」であった場合、「モデルＡ」に対応付けられたＤＴＭとして、「ＤＴＭ１」が特定される。
【００２９】
次に、ステップＳ３では、アルゴリズム選択手段１３は、ステップＳ２で特定されたＤＴＭをアルゴリズム格納手段１４から取得し、情報処理手段１５に渡す。
【００３０】
次に、ステップＳ４では、情報処理手段１５は取得されたＤＴＭを用いて所定の情報処理を実行し、一連の手順を終了する。ステップＳ４では、フィールド機器２が保有する情報の表示や、フィールド機器の各種パラメータの設定、フィールド機器２のメンテナンス等の情報処理を実行する。例えば、通信対象となっている当該フィールド機器２についての画面表示を実行し、ユーザにフィールド機器２の情報を提示するとともに、ユーザの操作を受け付ける。また、ユーザの操作に従って、当該フィールド機器２について各パラメータの設定等を実行する。情報処理手段１５は、適時、通信ドライバ３を介し当該フィールド機器２との間で通信を実行する。
【００３１】
本実施形態のフィールド機器管理装置では、フィールド機器管理のためのソフトウェアプログラムを機器管理用端末装置１にインストールする際に、インストール手段４が、アルゴリズム格納手段１４へのＤＴＭ群の格納、および対応付け記憶手段１１へのテーブル（図２）の格納を、これと同時に実行している。このため、ユーザは、従来行っていたフィールド機器とＤＴＭとの対応付けのための作業を行う必要がない。
【００３２】
また、本実施形態のフィールド機器管理装置によれば、情報処理の対象となるフィールド機器２の機器種類を取得し、その機器種類に関連付けられたＤＴＭを選択しているため、個々のフィールド機器２と、ＤＴＭとを直接対応付ける必要がない。通常、プラントには同一機器種類のフィールド機器が複数存在し、機器の総数と比較して機器種類の数は少ない。このため、ユーザがテーブル（図２（ａ））の作成により対応付けの定義をする場合でも、機器種類とＤＴＭとの対応付けを行えば足りるので、従来の個々のフィールド機器ごとの対応付けと比較して作業コストを大幅に削減できる。
【００３３】
新たなフィールド機器をプラントに導入したような場合には、インストール手段４は、追加が必要な機器種類について、対応付け記憶手段１１のテーブル（図２（ａ））に対応付けを追加する。また、インストール手段４は、対応付けの追加と同時に、対応するＤＴＭをアルゴリズム格納手段１４に追加格納する。同様に、インストール手段４は、対応付け記憶手段１１のテーブルの対応付けの変更が必要な場合、その部分の対応付けを変更する。また同時に、インストール手段４は、変更により必要となったＤＴＭをアルゴリズム格納手段１４に追加格納する。
【００３４】
例えば、フィールド機器の機器種類に「モデルＢ」が追加され、あるいは「モデルＢ」についての対応付けが変更になった場合には、図２（ａ）に示すように、「モデルＢ」の項がテーブルに追加され、あるいは変更される。また、それと同時に、「モデルＢ」に対応付けられた「ＤＴＭ２」が、アルゴリズム格納手段１４に追加格納される。
【００３５】
以上のようなインストール手段４による処理は、テーブルの作成、追加、変更に必要な、対応付けのための広範なデータベース（機器種類とＤＴＭとの対応付けテーブル）を予め作成しておき、このデータベースから、必要なデータを対応付け記憶手段１１およびアルゴリズム格納手段１４に導入することで実行できる。対応付け記憶手段１１およびアルゴリズム格納手段１４には、現時点で必要な範囲でテーブルおよびＤＴＭを格納しておけばよい。ユーザは、プラントの立ち上げ、フィールド機器２の追加、変更等に際して、必要なＤＴＭおよびテーブル（図２（ａ））を整備するための、あるいは、テーブル（図２（ａ））と格納されたＤＴＭとの整合を確認するための煩雑な作業から解放される。
【００３６】
図２（ｂ）に示すように、記憶手段１１のテーブルにおいて、１つの機器種類に対して複数のＤＴＭを対応付けることもできる。例えば、同一機器種類に対し、通常時のＤＴＭと、機器調整時に使用するＤＴＭが存在する場合には、１つの機器種類に対して２つのＤＴＭを対応付ければよい。図２（ｂ）の例では、「モデルＡ」に「ＤＴＭ１」および「ＤＴＭ１１」が、「モデルＢ」に「ＤＴＭ２」および「ＤＴＭ１２」が、それぞれ対応付けられている。
【００３７】
図３のステップＳ１１〜Ｓ１４は、複数のＤＴＭから所定のＤＴＭを選択し、所定の情報処理を実行する際の動作手順を示すフローチャートである。
【００３８】
図３のステップＳ１１では、機器種類取得手段１２において、通信ドライバ３を介して所定のフィールド機器２との間で通信を実行し、フィールド機器２が保有する自らの機器種類を取得する。例えば、フィールド機器２が「フィールド機器ａ」であった場合、図１に示すように、その機器種類は「モデルＡ」である。この場合、上記ステップＳ１１では、フィールド機器２から、機器種類として「モデルＡ」を取得する。取得された機器種類はアルゴリズム選択手段１３に渡される。
【００３９】
次に、ステップＳ１２では、アルゴリズム選択手段１３は、ステップＳ１１で取得された機器種類をキーとして対応付け記憶手段１１のテーブル（図２（ｂ））を検索し、当該機器種類に対応付けられた複数のＤＴＭを特定する。例えば、機器種類が「モデルＡ」であった場合、「モデルＡ」に対応付けられたＤＴＭとして、「ＤＴＭ１」および「ＤＴＭ１１」が特定される。
【００４０】
次に、ステップＳ１２Ａでは、コンピュータ１に対するユーザの指示を受け付けることで、複数のＤＴＭから１つのＤＴＭを選択させる。例えば、当該フィールド機器２の検査時であれば「ＤＴＭ１１」を、通常時であれば「ＤＴＭ１」を選択させる。
【００４１】
次に、ステップＳ１３では、アルゴリズム選択手段１３は、ステップＳ１２で選択されたＤＴＭをアルゴリズム格納手段１４から取得し、情報処理手段１５に渡す。
【００４２】
次に、ステップＳ１４では、情報処理手段１５は取得されたＤＴＭを用いて所定の情報処理を実行し、一連の手順を終了する。
【００４３】
このように、１つの機器種類に対して複数のＤＴＭが対応付けられている場合であっても、状況に応じて、適切なＤＴＭを選択できる。
【００４４】
以上説明したように、本発明のフィールド機器管理装置によれば、機器種類と、当該機器種類に適合する情報処理のアルゴリズムとの対応付けを用いて、必要なアルゴリズムを選択するので、煩雑な作業を必要とすることなく、フィールド機器に適合するアルゴリズムを獲得できる。また、インストール手段４を設けることにより、機器種類とＤＴＭとの対応付け、およびＤＴＭを格納するための煩雑な作業を不要とすることができる。
【００４５】
本発明の適用範囲は上記実施形態に限定されることはない。本発明は、機器管理に関し、個々のフィールド機器に適合する情報処理のアルゴリズムを与える場合について、広く適用することができる。
【図面の簡単な説明】
【００４６】
【図１】本実施形態のフィールド機器管理装置の構成を示すブロック図。
【図２】対応付け記憶手段に記憶されるテーブルの構成を示す図。
【図３】本実施形態のフィールド機器管理装置の動作手順を示すフローチャート。
【図４】従来のフィールド機器管理装置の構成を示すブロック図。
【符号の説明】
【００４７】
２      フィールド機器
４      インストール手段
１１    対応付け記憶手段
１２    機器種類取得手段
１３    アルゴリズム選択手段
１４    アルゴリズム格納手段
１５    情報処理手段
【図１】
2007249312.tif 000003
【図２】
2007249312.tif 000004
【図３】
2007249312.tif 000005
【図４】
2007249312.tif 000006